(57)【要約】  【課題】熱交換効率が高く、安全性の高い熱交換媒体を提供することを目的とする。  【解決手段】カーボンナノチューブ２１の内部空間に熱交換用金属材料２２を収容することにより熱交換媒体２０を構成する。熱交換用金属材料２２としては、熱伝導率が高いナトリウムやカリウムを用いる。この熱交換媒体２０を原子炉に使用した場合には、熱交換効率が高く、高速中性子の吸収率が低いといった熱交換用金属材料２２の特性を維持しつつ、疎水性のカーボンナノチューブ２１の内部空間に熱交換用金属材料２２を収容することにより、熱交換用金属材料２２と水との接触を回避することができ、水との接触による爆発の危険性が低い。【選択図】          図２
2006328260.tif 000002
【特許請求の範囲】
【請求項１】
内部空間が形成されたカーボンナノ構造体と、
上記カーボンナノ構造体の内部空間に収容された熱交換用金属材料とを備えたことを特徴とする熱交換媒体。
【請求項２】
上記熱交換用金属材料が、ナトリウムであることを特徴とする請求項１に記載の熱交換媒体。
【請求項３】
上記熱交換用金属材料が、カリウムであることを特徴とする請求項１に記載の熱交換媒体。
【請求項４】
上記カーボンナノ構造体が、カーボンナノチューブであることを特徴とする請求項１から３のいずれかに記載の熱交換媒体。
【請求項５】
上記カーボンナノ構造体が、フラーレンであることを特徴とする請求項１から３のいずれかに記載の熱交換媒体。
【請求項６】
所定のガスと混合されることにより固気混相流として高速増殖炉の冷却材に使用されることを特徴とする請求項１から５のいずれかに記載の熱交換媒体。
【発明の詳細な説明】
【技術分野】
【０００１】
本発明は、高速増殖炉の冷却材などに用いられる熱交換媒体、特に、高速増殖炉の２次循環路の冷却材に適した熱交換媒体に関する。
【背景技術】
【０００２】
実用化されている熱交換媒体の中で熱交換効率のよい熱交換用金属材料の１つとして、ナトリウムが知られている。
【０００３】
原子炉として周知の高速増殖炉では、高度の熱交換効率が要求されるため、通常、冷却材としてナトリウムが使用されている。高速増殖炉は、内部で核分裂反応が行われる原子炉容器と、原子炉容器内で発生した熱を除去するための第１冷却材を循環させる１次循環路と、第１冷却材を冷却するための第２冷却材を循環させる２次循環路と、第２冷却材を冷却するための第３冷却材を循環させる３次循環路とを備えている。例えば、第１冷却材及び第２冷却材としてはナトリウムが用いられ、第３冷却材としては水が用いられる。３次循環路内を循環する水は、２次循環路内を循環するナトリウムとの間で熱交換が行われることにより蒸発し、その蒸気によりタービンが回転されて発電が行われる（例えば、特許文献１、特許文献２）。
【０００４】
一方、ナトリウムは水と接触すると爆発的な化学反応を生じることが知られている。したがって、上記のような構成を有する高速増殖炉においては、２次循環路及び３次循環路の熱交換部の破損により、２次循環路内のナトリウムと３次循環路内の水とが接触した場合に、爆発的な化学反応が生じるという危険性がある。
【０００５】
このように爆発の危険性があるにもかかわらず、ナトリウムが高速増殖炉の冷却材として使用される理由としては、熱交換効率が高いことに加えて、原子炉容器内での核分裂反応により生じる高速中性子の吸収率が低いため発電効率が低下するのを防止できることなどが考えられる。
【０００６】
しかし、爆発の危険性があるという点から、ナトリウムは、高速増殖炉などの原子炉の冷却材以外には、熱交換媒体としてほとんど使用されていない。
【特許文献１】特開２００２−２１４３８６号公報
【特許文献２】特開２０００−９７４０１号公報
【発明の開示】
【発明が解決しようとする課題】
【０００７】
このような背景の下では、熱交換効率が高く、原子炉以外にも一般的に使用できるような安全性の高い熱交換媒体が望まれていた。
【０００８】
また、ナトリウムに代表される熱交換用金属材料の特性を維持しつつ、水との接触による爆発の危険性が低い熱交換媒体を提供することができれば、高速増殖炉などの原子炉における安全性を向上できる。
【０００９】
本発明は、上記の事情に鑑みてなされたものであり、熱交換効率が高く、安全性の高い熱交換媒体を提供することを目的とする。
【００１０】
また、本発明は、熱交換用金属材料の特性を維持しつつ、水との接触による爆発の危険性が低い熱交換媒体を提供することを目的とする。
【課題を解決するための手段】
【００１１】
本発明による熱交換媒体は、内部空間が形成されたカーボンナノ構造体と、上記カーボンナノ構造体の内部空間に収容された熱交換用金属材料とを備えて構成される。
【００１２】
このような構成によれば、熱伝導率が高いカーボンナノ構造体の内部空間に、熱伝導率が高い熱交換用金属材料を収容することにより、全体として熱伝導率が高い熱交換媒体を構成することができる。したがって、本発明の熱交換媒体によれば、熱交換用金属材料の特性を維持することができる。
【００１３】
また、疎水性のカーボンナノ構造体の内部空間に熱交換用金属材料が収容されているので、熱交換用金属材料と水との接触を回避することができる。したがって、本発明の熱交換媒体によれば、水との接触による爆発の危険性が低い。
【００１４】
本発明による熱交換媒体は、所定のガスと混合されることにより固気混相流として高速増殖炉の冷却材に使用されてもよい。
【００１５】
カーボンナノ構造体は摩擦係数が低いので、本発明のような構成を有する熱交換媒体を高速増殖炉の冷却材として使用した場合に、この熱交換媒体が循環する循環路を構成する管が摩擦により破損するのを抑制できる。特に、固気混相流として高速増殖炉の冷却材に使用することにより、摩擦を効果的に抑制することができる。したがって、高速増殖炉の冷却材に適した熱交換媒体を提供できる。
【００１６】
上記熱交換用金属材料は、熱伝導率が高く、熱交換に適した金属材料であって、ナトリウムやカリウムなどで構成することができる。
【００１７】
本発明による熱交換媒体において、上記カーボンナノ構造体が、カーボンナノチューブであれば、カーボンナノチューブの内部空間に熱交換用金属材料を収容することにより、熱交換媒体を構成することができる。
【００１８】
また、本発明による熱交換媒体において、上記カーボンナノ構造体が、フラーレンであれば、フラーレンの内部空間に熱交換用金属材料を収容することにより、熱交換媒体を構成することができる。
【発明の効果】
【００１９】
本発明によれば、熱交換効率が高く、原子炉以外にも一般的に使用できるような安全性の高い熱交換媒体を提供することができる。さらに、本発明の熱交換媒体を原子炉に使用した場合には、熱交換効率が高く、高速中性子の吸収率が低いといった熱交換用金属材料の特性を維持しつつ、疎水性のカーボンナノ構造体の内部空間に熱交換用金属材料を収容することにより、熱交換用金属材料と水との接触を断絶することができ、水との接触による爆発の危険性を回避することができる。この場合、本発明の熱交換媒体を所定のガスと混合することにより固気混相流とすれば高速増殖炉の冷却材として好適である。特に、高速増殖炉の２次循環路の第２冷却材として使用することによって、高速増殖炉内に入り組んだ１次循環路の設備を変更すること無く、従来の危険性を完全に回避できることになる。
【発明を実施するための最良の形態】
【００２０】
図１は、本発明の実施の形態による熱交換媒体が適用される高速増殖炉１の一例を示した図であって、（ａ）は、高速増殖炉１の全体構成を示した概念図、（ｂ）は、２次循環路４に適用されるポンプ７の構成を示す断面図である。
【００２１】
図１（ａ）に示すように、この高速増殖炉１は、原子炉容器２、１次循環路３、２次循環路４、３次循環路５、ポンプ６，７，８、熱交換器９，１０及びタービン１１を備えている。
【００２２】
原子炉容器２内には、ウランやプルトニウムなどの核分裂性物質が核燃料として収容されている。原子炉容器２内の炉心１２では、核燃料を用いて核分裂反応が行われることにより、高速中性子が放出される。そして、核分裂反応により放出される高速中性子が、減速することなくそのまま次の原子核に衝突することにより、連鎖的に核分裂反応が行われる。
【００２３】
１次循環路３は、両端が原子炉容器２内に連通するループ状の管により構成されている。１次循環路３には、ポンプ６が介装されており、このポンプ６を駆動させることにより、図１（ａ）において矢印で示すように、１次循環路３内に第１冷却材を循環させることができる。核分裂反応により炉心１２で発生した熱は、１次循環路３内を循環する第１冷却材により除去される。そして、加熱された第１冷却材が、１次循環路３に介装された熱交換器９で冷却され、再び炉心１２へと導かれることにより、炉心１２で発生する熱が連続的に除去される。
【００２４】
２次循環路４は、熱交換器９，１０及びポンプ７が介装されたループ状の管により構成されている。ポンプ７を駆動させると、図１（ａ）において矢印で示すように、２次循環路４内に第２冷却材を循環させることができる。熱交換器９において、１次循環路３内を循環する第１冷却材との間で熱交換が行われることにより加熱された第２冷却材が、熱交換器１０で冷却され、再び熱交換器９へと導かれることにより、１次循環路３内を循環する第１冷却材が連続的に冷却される。
【００２５】
３次循環路５は、熱交換器１０、タービン１１及びポンプ８が介装されたループ状の管により構成されている。ポンプ８を駆動させると、図１（ａ）において矢印で示すように、３次循環路５内に第３冷却材を循環させることができる。第３冷却材としては、例えば水が用いられる。３次循環路５内を循環する水は、２次循環路４内を循環する第２冷却材との間で熱交換が行われることにより蒸発し、その蒸気によりタービン１１が回転されて発電が行われる。熱交換器１０で発生した蒸気が、３次循環路５を循環する過程で冷却されて液化し、再び熱交換器１０へと導かれることにより、２次循環路４内を循環する第２冷却材が連続的に冷却される。
【００２６】
本発明の実施の形態による熱交換媒体は、上記のような構成を有する高速増殖炉１において、第２冷却材として用いることができる。より具体的には、本発明の実施形態による熱交換媒体は、高速増殖炉１の２次循環路４において、所定のガスに混合されることにより固気混相流とされた第２冷却材として循環するように構成されている。高速増殖炉１の１次循環路３においては、液体状態の金属ナトリウムが第１冷却材として流動し、３次循環路５においては、第３冷却材としての水が加熱及び凝縮の相変化を伴って循環するように構成されている。
【００２７】
図１（ｂ）に示すように、２次循環路４に適用されるポンプ７は、固気混相流としての第２冷却材を循環させるのに適した構成を有している。すなわち、２次循環路４を構成する管４１内には、軸流ポンプにより構成されるポンプ７が、支持部材４２により固定されている。ポンプ７は、キャンドモータ７１に３つの回転推進翼７２，７３，７４を取り付けた構造に構成されている。
【００２８】
このポンプ７が駆動されると、キャンドモータ７１の回転により回転推進翼７２，７３，７４が回転し、管４１内の媒体が強制的に図中矢印の方向に流動させられる。ここで使用される媒体は、後述する本実施の形態の熱交換媒体としての内部に金属ナトリウムを含むカプセル状のカーボンナノ構造体であり、この固相の熱交換媒体を運搬する流体は、熱伝導率の高いガス、例えばヘリウムである。熱交換媒体を運搬する流体としては、ヘリウムガス以外にも水素ガスなどを使用できるが、使用上の安全性から、空気、炭酸ガス、水蒸気を環境に応じて選択して設定することが可能である。
【００２９】
本実施の形態では、カーボンナノ構造体の内部に金属ナトリウムを閉じ込めることによって、金属ナトリウムの化学反応を断絶しながらも、熱的な特性をそのままに維持させることによって、効率のよい熱伝導（すなわち冷却）ループを構築することができる。また、本発明の熱交換媒体は、高速増殖炉１の１次循環路３にも適用可能であると考えられるがこの事項については検証できていない。
【００３０】
本願発明者は、特表２００４−５３８３４９号公報に開示されているようなカーボンナノ構造体による熱移動を検討するとともに、特開２００３−２５２６１４号公報、特開２００４−６７４９９号公報に開示されているようなカプセル状のカーボンナノ構造体（カーボンナノカプセル）を製造する技術を応用して、以下に説明するような構成を有する熱伝導率の高い熱交換媒体を発明した。
【００３１】
図２の（ａ）〜（ｃ）は、熱交換媒体２０の構成例を示す概略図である。
【００３２】
図２（ａ）に示す熱交換媒体２０は、カーボンナノチューブ２１内に熱交換用金属材料２２が収容されることにより構成されている。
【００３３】
カーボンナノチューブ２１は、多数の炭素原子が結合することにより、両端部が閉塞された管状のクラスターとして構成されたカーボンナノカプセルである。
【００３４】
熱交換用金属材料２２は、熱伝導率が高いナトリウムやカリウムなどのアルカリ金属で構成することができる。熱交換用金属材料２２をカーボンナノチューブ２１の内部空間に収容させる方法としては、いわゆるボトルシップ合成法を用いることができる。すなわち、カーボンナノチューブ２１にレーザ光を照射するなどして、カーボンナノチューブ２１の一部に人工的に孔を開け、その孔からカーボンナノチューブ２１の内部空間に金属原子を集積させる。その後、カーボンナノチューブ２１を冷却すれば、開口した孔が収縮し、カーボンナノチューブ２１の内部空間に熱交換用金属材料２２が収容された状態となる。
【００３５】
ただし、カーボンナノチューブ２１の内部空間に熱交換用金属材料２２を収容させる方法としては、上記のようなボトルシップ合成法を用いた方法に限らず、例えば、特開２００２−１２８５０１号公報に開示されているような毛細管現象を利用する方法などであってもよい。
【００３６】
ナトリウムは、融点が９７．８１℃、沸点が８８１℃である。カリウムは、融点が６３．５℃、沸点が７６５．５℃である。このように、ナトリウムやカリウムは、液体として存在する温度範囲が広いので、本実施の形態のような熱交換媒体２０を、図１（ａ）に示す高速増殖炉１の第２冷却材として用いた場合には、２次循環路４内において、熱交換用金属材料２２が液体として存在することとなる。熱交換用金属材料２２は、カーボンナノチューブ２１の内部空間に収容されているので、液体の状態であってもカーボンナノチューブ２１の外部に漏れ出すことはない。
【００３７】
温度が３００℃、圧力が１ａｔｍの条件下において、ナトリウムは、密度が８８０ｋｇ／ｍ３、比熱が０．３１６ｋｃａｌ／ｋｇ・℃、粘度が３．４３×１０−４、動粘性係数が０．３９２×１０−６、熱伝導率が６０ｋｃａｌ／ｍ・ｈ・℃であり、カリウムは、密度が７７０ｋｇ／ｍ３、比熱が０．１８５ｋｃａｌ／ｋｇ・℃、粘度が２．４５×１０−４、動粘性係数が０．３１８×１０−６、熱伝導率が３５ｋｃａｌ／ｍ・ｈ・℃である（堀  雅夫（監修）／基礎高速炉工学編集委員会（編）：基礎高速炉工学、日刊工業新聞社（１９９３年１０月）参照）。
【００３８】
このように、ナトリウムやカリウムは、それぞれ、水銀などの他の金属材料と比較して、相対的に、下記のような特性を有している。
・密度が低い
・比熱が大きい
・粘性が低い
・熱伝導率が高い
【００３９】
そして、上記のような特性を有するナトリウムやカリウムを熱交換用金属材料２２として用いれば、比較的軽量で高い熱容量を有し、循環路内での流動性に富み、熱交換効率が高い熱交換媒体２０を構成することができる。なお、ナトリウムやカリウムの密度及び比熱を、カーボンナノチューブ２１を構成する炭素と比較すると、密度は炭素の方が大きく、比熱は炭素の方が小さい。
【００４０】
ただし、熱交換用金属材料２２は、上記のような特性を有する熱交換に適した金属材料であれば、ナトリウムやカリウムに限らず、ナトリウム及びカリウムの合金（ＮａＫ）などの他の金属材料であってもよい。
【００４１】
図２（ｂ）に示す熱交換媒体２０は、フラーレン２３内に熱交換用金属材料２２が収容されることにより構成されている。
【００４２】
フラーレン２３は、いわゆるアーク放電法やレーザ蒸発法などで生成することができる。フラーレン２３は、多数の炭素原子が結合することにより、中空球状のクラスターとして構成されている。このフラーレン２３の内部空間に、上述したようなボトルシップ合成法や毛細管現象を利用した方法で、ナトリウムやカリウムなどの熱交換用金属材料２２を収容させることにより、熱交換媒体２０を構成することができる。
【００４３】
ただし、熱交換用金属材料２２を収容するカーボンナノ構造体は、図２（ａ）に示すカーボンナノチューブ２１や、図２（ｂ）に示すフラーレン２３に限らず、例えば、多数の炭素原子が結合することにより、中空円錐台形状のクラスターとして構成されるカーボンナノホーンなどであってもよい。これらのカーボンナノ構造体は、疎水性を有し、熱伝導率が高いという特性を有している。
【００４４】
また、図２（ｃ）に示すように、図２（ｂ）のフラーレン２３、すなわち、内部空間に熱交換用金属材料２２が収容された状態のフラーレン２３を、更に、図２（ａ）のカーボンナノチューブ２１の内部空間に収容することにより、２重構造の熱交換媒体２０を構成してもよい。
【００４５】
本実施の形態の熱交換媒体２０によれば、熱伝導率が高いカーボンナノ構造体の内部空間に、熱伝導率が高い熱交換用金属材料２２を収容することにより、全体として熱伝導率が高い熱交換媒体２０を構成することができる。また、カーボンナノ構造体は非常に軽く、そのため、核分裂反応により生じる高速中性子の吸収率も低いので、カーボンナノ構造体の内部空間に熱交換用金属材料２２を収容することにより、高速中性子の吸収率が低い熱交換媒体２０を構成することができる。したがって、本実施の形態の熱交換媒体２０によれば、熱交換用金属材料２２の特性を維持することができる。
【００４６】
また、カーボンナノ構造体は摩擦係数が低いので、本実施の形態の熱交換媒体２０を高速増殖炉１の冷却材として使用した場合でも、この熱交換媒体２０が循環する循環路を構成する管（例えば、図１における２次循環路４の管４１）が摩擦により破損するのを抑制できる。万が一、循環路を構成する管が破損して、循環路内を循環する熱交換媒体２０が水と接触したような場合でも、疎水性のカーボンナノ構造体の内部空間に熱交換用金属材料２２が収容されているので、熱交換用金属材料２２と水との接触を回避することができる。したがって、本実施の形態の熱交換媒体２０によれば、水との接触による爆発の危険性が低い。
【００４７】
このように、本実施の形態によれば、熱交換効率が高く、原子炉以外にも一般的に使用できるような安全性の高い熱交換媒体２０を提供することができる。さらに、本実施の形態の熱交換媒体２０を原子炉に使用した場合には、熱交換効率が高く、高速中性子の吸収率が低いといった熱交換用金属材料２２の特性を維持しつつ、疎水性のカーボンナノ構造体の内部空間に熱交換用金属材料２２を収容することにより、熱交換用金属材料２２と水との接触を回避することができ、水との接触による爆発の危険性が低い。特に、本実施の形態の熱交換媒体２０は、高速増殖炉１（の２次循環路４）の冷却材に適している。
【００４８】
また、カーボンナノ構造体は、水に限らず、他のあらゆる物質と反応し難い性質がある。したがって、本実施の形態の熱交換媒体２０によれば、水以外の他の物質との接触による弊害の防止も期待できる。
【００４９】
ただし、本発明の熱交換媒体２０は、高速増殖炉１の冷却材として用いることができるのみならず、他の原子炉の冷却材として用いることもできるし、原子炉に限らず、ヒートパイプなどの他の熱交換装置にも広範に用いることができる。
【００５０】
本発明は、以上の実施の形態の内容に限定されるものではなく、請求項記載の範囲内において種々の変更が可能である。
【図面の簡単な説明】
【００５１】
【図１】本発明の実施の形態による熱交換媒体が適用される高速増殖炉の一例を示した図である。
【図２】熱交換媒体の構成例を示す概略図である。
【符号の説明】
【００５２】
２０  熱交換媒体
２１  カーボンナノチューブ
２２  熱交換用金属材料
２３  フラーレン
【図１】
2006328260.tif 000003
【図２】
2006328260.tif 000004